(57)【要約】【課題】蓋体のヒンジ構造強度を向上し、開閉動作を容易にする洗濯機を提供すること。【解決手段】洗濯物を投入する投入口２５５を開閉自在に覆う蓋体６００を後部で軸支するヒンジ構造７００は、蓋体６００の後部横幅に亘って設けられるとともに、蓋体６００の開閉状態に関わらず正面側より操作可能な操作部５００の下方で、天壁２５０とカバー部材４００とで形成される空間に配設されるとともに、蓋体６００を、開閉時に、ヒンジ構造７００に設けた左バネ部品７６０及び右バネ部品７７０で開力を補助され、複数のダンパ構造７８０で閉速度を減衰される構成とすることにより、蓋体６００が重くなっても、蓋体６００を支えるヒンジ構造７００の強度を向上することで、ヒンジ構造７００の破壊を防ぎ、開閉動作を容易にすることができる。【選択図】図４
2020116293.tif 000002
【特許請求の範囲】
【請求項１】
上方に開口する投入口を有する天壁と、
前記天壁の後方上部を部分的に覆うカバー部材と、
洗濯機の動作内容に関する動作要求を受け付ける操作部と、
前記投入口を開閉自在に覆う蓋体と、前記蓋体を回動自在に前記天壁に支持するヒンジ構造と、を備え、
前記操作部は、前記カバー部材の前面又は上面に露出するように前記カバー部に取り付けられており、
前記ヒンジ構造は、前記蓋体の後部横幅に亘って設けられるとともに、前記操作部の下方に配設される洗濯機。
【請求項２】
前記ヒンジ構造は、
前記蓋体の側面側に配設される左ヒンジ及び右ヒンジと、を含み、
前記ヒンジ構造の長手方向、左ヒンジ、及び右ヒンジにより、コの字状に構成されている、請求項１に記載の洗濯機。
【請求項３】
前記蓋体は、前記ヒンジ構造の左方及び右方に設けられ、前記蓋体の開閉動作力を与えるバネ構造を有し、
前記バネ構造は、軸と、左バネ部品及び右バネ部品と、を含み、
前記左バネ部品及び前記右バネ部品は、前記ヒンジ構造の左右の軸にそれぞれ設けられ、一端を前記ヒンジ構造に他端を前記天壁のバネ取り付け穴に嵌着される、請求項１に記載の洗濯機。
【請求項４】
前記蓋体は、前記蓋体の開閉動作を補助するダンパ構造を有し、
前記ダンパ構造から突出するシャフトは、天壁に設けられたダンパ軸受に嵌合する、請求項１〜３のいずれか１項に記載の洗濯機。
【請求項５】
前記ヒンジ構造は、前記カバー部材を取り外すことで、左バネ部品、右バネ部品及びダンパ構造が交換可能とする請求項１〜４のいずれか１項に記載の洗濯機。
【発明の詳細な説明】
【技術分野】
【０００１】
本発明は、上方に開口する衣類投入口を開閉自在に覆う蓋体を有する洗濯機に関する。
【背景技術】
【０００２】
特許文献１における洗濯機は、上方に開口した洗濯槽と、洗濯槽を収容する筐体と、洗濯機の動作内容に関する動作要求を受け付ける操作パネルと、を備える。筐体は、使用者に対向する前壁と、洗濯槽への衣類の投入を許容する投入口が形成された天壁を含む。天壁は、前壁と角隅部を形成する前縁と、前縁とは反対側の後縁と、を含む。操作パネルは、左右に分割された蓋体ヒンジ部により後縁に取り付けられる。
【先行技術文献】
【特許文献】
【０００３】
【特許文献１】特開２０１５−１９２７７４号公報
【発明の概要】
【発明が解決しようとする課題】
【０００４】
しかしながら、前記従来の構成では、蓋体ヒンジ部が左右に分割されているため、各ヒンジ部に応力集中が偏るという課題があった。更に、蓋体開閉力を改善するために蓋開閉に用いるバネ構造の弾性力を増加すると、蓋体ヒンジ部がバネの弾性力に耐えられずに故障する虞があった。また、蓋体ヒンジ部が左右に分割されているためにダンパ機構の大きさも制限され、取付困難な構造になる課題があった。
【０００５】
本開示は、重い蓋体を支持できるとともに、開閉動作を容易にできる洗濯機を提供する。
【課題を解決するための手段】
【０００６】
本開示における洗濯機は、上方に開口する投入口を有する天壁と、前記天壁の後方上部を部分的に覆うカバー部材と、前記洗濯機の動作内容に関する動作要求を受け付ける操作部と、前記投入口を開閉自在に覆う蓋体と、前記蓋体を回動自在に前記天壁に支持するヒンジ構造と、を備える。前記操作部は、前記カバー部材の前面又は上面に露出するように前記カバー部に取り付けられており、前記ヒンジ構造は、前記蓋体の後部横幅に亘って設けられるとともに、前記操作部の下方に配設される。
【発明の効果】
【０００７】
本開示における洗濯機は、重い蓋体を支持できるとともに、開閉動作を容易にできる洗濯機を提供する。
【図面の簡単な説明】
【０００８】
【図１】本発明の実施の形態における洗濯機の外観図
【図２】同洗濯機の蓋体が閉じた外観図
【図３】同洗濯機の縦断面図
【図４】同洗濯機の蓋体構造部の分解斜視図
【図５】同洗濯機の蓋体構造部の一部部品を外した平面図
【図６】同洗濯機のヒンジ構造部の分解斜視図
【図７】同洗濯機の天壁に取り付けられる蓋体を示す分解斜視図
【図８】従来の洗濯機の一部破断した縦断面図
【図９】同洗濯機の要部の一部破断した断面図
【図１０】同洗濯機の蓋体部の一部破断した断面図
【発明を実施するための形態】
【０００９】
以下、発明の実施の形態について、図面を参照しながら説明する。なお、この実施の形態によって本発明が限定されるものではない。
【００１０】
（実施の形態１）
図１は、本発明の実施の形態における洗濯機の外観図、図２は、同洗濯機の蓋体が閉じた外観図、図３は、同洗濯機の縦断面図である。
【００１１】
図１、図２、図３において、洗濯機１００は、筐体２００と、洗濯槽３００と、カバー部材４００と、操作部５００と、蓋体６００と、ヒンジ構造７００（図４参照）と、給水口８００とを主に備えている。
【００１２】
筐体２００は、前壁２１０と、後壁２２０と、左壁２３０と、右壁２４０と、天壁２５０とを含んでいる。
【００１３】
前壁２１０は、洗濯機１００を使用する使用者に対向しており、後壁２２０は、前壁２１０の反対側に立設されている。左壁２３０は、前壁２１０と後壁２２０との間で立設されており、右壁２４０は、左壁２３０の反対側で立設される。天壁２５０は、前壁２１０、後壁２２０、左壁２３０及び右壁２４０の上縁によって囲まれる。
【００１４】
天壁２５０は、筐体２００の上部に配設されており、前縁２５１と、後縁２５２と、左縁２５３と、右縁２５４とを含んでいる。前縁２５１は、天壁２５０と前壁２１０との間で形成される角隅線であってもよい。後縁２５２は、天壁２５０と後壁２２０との間で形成される角隅線であってもよい。左縁２５３は、天壁２５０と左壁２３０との間で形成される角隅線であってもよい。右縁２５４は、天壁２５０と右壁２４０との間で形成される角隅線であってもよい。
【００１５】
洗濯槽３００は、筐体２００内に、筐体２００の上部角隅より垂下防振支持され、水を受ける外槽３１０と、外槽３１０に回転自在に内包され、洗濯物を収容する内槽３２０とで構成され、内槽３２０に投入した洗濯物は、パルセータ３３０で攪拌して洗浄される。
【００１６】
天壁２５０には、略中央部に投入口２５５が形成されており、衣類をこの投入口２５５から洗濯槽３００へ投入して、洗濯を行なう。
【００１７】
蓋体６００は、投入口２５５を開閉自在に覆うもので、天壁２５０上で、上下に回動する。ヒンジ構造７００（図４参照）は、この蓋体６００を回動可能に支持している。
【００１８】
蓋体６００は、左アーム板６１０と、右アーム板６２０と、前板６３１及び後板６３２からなる主板６３０とで構成され、左アーム板６１０、右アーム板６２０は、それぞれ内部に左ヒンジ７１０、右ヒンジ７２０を配設している。蓋体６００回りの構成については、図４以降で詳述する。
【００１９】
カバー部材４００は、投入口２５５と後縁２５２との間で、天壁２５０を部分的に覆っており、後領域４１０と、前領域４２０と、左領域４３０と、右領域４４０とを含んでいる。
【００２０】
給水口８００は、後領域４１０に形成された開口部から露出しており、蛇口に取り付けられたホース（図示せず）を給水口８００へ接続することができ、給水口８００に供給さ
れた水は、筐体２００内の洗濯槽３００へ給水される。
【００２１】
前領域４２０は、後領域４１０と協働して、稜線４０１を形成する。後領域４１０は、稜線４０１と後縁２５２との間で広がり、稜線４０１から後縁２５２に向けて下方に約３０°傾斜している。前領域４２０は、稜線４０１から前縁２５１に向けて下方に傾斜し、前領域４２０は、前縁２５１よりも後縁２５２の近くに形成されている。
【００２２】
操作部５００は、カバー部材４００に配設され、蓋体６００の開閉状態に関わらず正面側から操作可能で、運転コースなどを入力設定する複数のボタン５１０と、入力設定された内容、進行状況、異常時の通知などを表示するディスプレイ５２０とを含んでいる。
【００２３】
図４は、本発明の実施の形態における洗濯機の蓋体構造部の分解斜視図、図５は、同洗濯機の蓋体構造部の一部部品を外した平面図、図６は、同洗濯機のヒンジ構造部の分解斜視図、図７は、同洗濯機の天壁に取り付けられる蓋体を示す分解斜視図である。
【００２４】
図４、図５、図６、図７において、ヒンジ構造７００は、操作部５００の下方で、天壁２５０とカバー部材４００で形成される空間に配設され、蓋体６００の横幅の長さに亘って設けられており、左ヒンジ７１０と、右ヒンジ７２０と、ダンパケース７３０と、軸７５０とを含んだコの字状に全体を構成されている。
【００２５】
そして、ヒンジ構造７００は、左右にある軸７５０をそれぞれ左ヒンジ７１０と右ヒンジ７２０の軸受７４０に挿入し、その軸７５０に左バネ部品７６０と右バネ部品７７０を取付け、左バネ部品７６０と右バネ部品７７０の一端を左バネ取付穴７１１及び右バネ取付穴７２１に取り付け、他端を天壁２５０の左右にあるバネ取り付け穴２５６へ嵌着している。
【００２６】
また、ヒンジ構造７００は、二つのダンパケース７３０に各々ダンパ構造７８０を取り付け、ダンパ構造７８０のシャフト７８１を天壁２５０に備わるダンパ軸受２６０に嵌合している。
【００２７】
また、ダンパ構造７８０は、ヒンジカバー６４０に覆われており、ヒンジカバー６４０を取り外すことで、ダンパ構造７８０のみを取り外し、交換することが可能となっている。
【００２８】
そして、ヒンジ構造７００は、操作部５００の下方で、天壁２５０とカバー部材４００で形成される空間に配設される構成とすることで、天壁２５０の左側面から右側面までコの字状で構成することを可能とし、蓋体６００を支持する強度を保持している。
【００２９】
ヒンジ構造７００は、操作部５００の下面空間を利用し、左バネ部品７６０と、右バネ部品７７０と、ダンパケース７３０とで構成することが可能となり、これにより蓋体６００の開動作時にも、使用者が操作部５００を操作可能とする空間を有するようになっている。
【００３０】
以上のように、本実施の形態における洗濯機は、上方に開口する投入口２５５を有する天壁２５０と、天壁２５０の後方上部を部分的に覆うカバー部材４００と、洗濯機の動作内容に関する動作要求を受け付ける操作部５００と、投入口２５５を開閉自在に覆う蓋体６００と、蓋体６００を回動自在に天壁２５０に支持するヒンジ構造７００と、を備える。操作部５００は、カバー部材４００の前面又は上面に露出するようにカバー部材４００に取り付けられており、ヒンジ構造７００は、蓋体６００の後部横幅に亘って設けられるとともに、操作部５００の下方に配設される。
【００３１】
これにより、重い蓋体を支持できるとともに開閉動作を容易にできる。
【００３２】
また、本実施の形態のように、ヒンジ構造７００は、蓋体６００の側面側に配設される左ヒンジ及び右ヒンジと、を含み、ヒンジ構造７００の長手方向、左ヒンジ７１０、及び右ヒンジ７２０により、コの字状に構成されているようにしてもよい。
【００３３】
これにより、樹脂部品である蓋体の強度を上げることができる。
【００３４】
また、本実施の形態のように、蓋体６００は、ヒンジ構造７００の左方及び右方に設けられ、蓋体６００の開閉動作力を与えるバネ構造を有し、バネ構造は、軸７５０と、左バネ部品７６０及び右バネ部品７７０と、を含み、左バネ部品７６０及び右バネ部品７７０は、前記ヒンジ構造の左右の軸にそれぞれ設けられ、一端を左バネ取付穴７１１及び右バネ取付穴７２１に、他端を天壁２５０の左右にあるバネ取り付け穴２５６に嵌着されるようにしてもよい。
【００３５】
これにより、バネ構造を容易に取り付けることができるので、組立性が向上する。
【００３６】
また、本実施の形態のように、蓋体６００は、蓋体６００の開閉動作を補助するダンパ構造７８０を有し、ダンパ構造７８０から突出するシャフト７８１は、天壁２５０に設けられたダンパ軸受２６０に嵌合するようにしてもよい。
【００３７】
これにより、ダンパ構造の数を変更することができるので、バネ構造の弾性力の仕様を変更した場合にも適切に対処できる。
【００３８】
また、本実施の形態のように、前記ヒンジ構造は、前記カバー部材を取り外すことで、左バネ部品７６０、右バネ部品７７０及びダンパ構造７８０が交換可能とするようにしてもよい。
【００３９】
これにより、ダンパ構造に不良が生じた場合には容易にダンパ構造を交換することができる。
【産業上の利用可能性】
【００４０】
以上のように、本発明にかかる洗濯機は、蓋体のヒンジ部破壊を防ぎ、開閉動作を容易にすることが可能となるので、蓋体を有する他の電化機器の用途に適用できる。
【符号の説明】
【００４１】
２００  筐体
２５０  天壁
２５５  投入口
２５６  バネ取り付け穴
２６０  ダンパ軸受
３１０  外槽
３２０  内槽
４００  カバー部材
５００  操作部
５１０  ボタン
５２０  ディスプレイ
６００  蓋体
６１０  左アーム板
６２０  右アーム板
７００  ヒンジ構造
７１０  左ヒンジ
７２０  右ヒンジ
７３０  ダンパケース
７５０  軸
７６０  左バネ部品
７７０  右バネ部品
７８０  ダンパ構造
７８１  シャフト
【図１】
2020116293.tif 000003
【図２】
2020116293.tif 000004
【図３】
2020116293.tif 000005
【図４】
2020116293.tif 000006
【図５】
2020116293.tif 000007
【図６】
2020116293.tif 000008
【図７】
2020116293.tif 000009
【図８】
2020116293.tif 000010
【図９】
2020116293.tif 000011
【図１０】
2020116293.tif 000012